(57)【特許請求の範囲】
【請求項１】
走行機体に対して下方側の作業位置と上方側の非作業位置とにわたり昇降自在に設けられ、且つ、車速を変更するための走行用変速装置の変速後の動力により駆動されて刈取穀稈を脱穀装置に向けて搬送する刈取部と、
前記刈取部への動力伝達を入り切りする刈取クラッチと、
前記刈取部から受け渡される刈取穀稈の株元側を挟持しながら、穂先側が脱穀装置内部で扱き処理される状態で搬送する脱穀フィードチェーンと、
前記脱穀フィードチェーンの搬送速度を変更操作自在な変速操作手段と、
各部の動作を制御する制御手段とが備えられているコンバインであって、
前記脱穀フィードチェーンを駆動状態と停止状態とに切り換え操作自在な駆動状態切換手段が設けられ、
前記制御手段は、
前記刈取部の前記非作業位置から前記作業位置への下降に伴って、前記刈取クラッチを切り状態から入り状態に切り換えるとともに、前記駆動状態切換手段を前記停止状態から前記駆動状態に切り換え、且つ、前記刈取部における刈取穀稈の搬送速度が大であるほど前記脱穀フィードチェーンの搬送速度が大になるように前記変速操作手段を制御する作業開始制御を実行し、
前記刈取部の前記作業位置から前記非作業位置への上昇に伴って、前記刈取クラッチを入り状態から切り状態に切り換えるとともに、前記駆動状態切換手段を前記駆動状態から前記停止状態に切り換え、且つ、前記脱穀フィードチェーンの搬送速度が低速側の設定速度になるように前記変速操作手段を制御する作業停止制御を実行するように構成されているコンバイン。
【請求項２】
前記変速操作手段は、前記脱穀フィードチェーンの搬送速度を設定範囲内で無段階に変更調節可能なベルト式無段変速装置を備えて構成され、
前記制御手段は、
前記作業開始制御において、前記駆動状態切換手段を前記停止状態から前記駆動状態に切り換えた後に、前記変速操作手段を制御するように構成され、
前記作業停止制御において、前記脱穀フィードチェーンの搬送速度が低速側の設定速度になるように前記変速操作手段を制御した後に、前記駆動状態切換手段を前記駆動状態から前記停止状態に切り換えるように構成されている請求項１記載のコンバイン。
【請求項３】
前記刈取部の前記非作業位置への上昇を指令する上昇指令又は前記作業位置へ下降を指令する下降指令の夫々を指令する昇降指令手段が備えられ、
前記制御手段は、
前記昇降指令手段による前記下降指令が指令されるに伴って、前記作業開始制御を実行し、
前記昇降指令手段による前記上昇指令が指令されて前記刈取部が設定高さ以上に上昇するに伴って、作業停止制御を実行するように構成され、
前記設定高さを変更する人為操作式の調節手段が備えられている請求項１又は２記載のコンバイン。
【発明の詳細な説明】
【０００１】
【発明の属する技術分野】
本発明は、走行機体に対して下方側の作業位置と上方側の非作業位置とにわたり昇降自在に設けられ、且つ、車速を変更するための走行用変速装置の変速後の動力により駆動されて刈取穀稈を脱穀装置に向けて搬送する刈取部と、前記刈取部への動力伝達を入り切りする刈取クラッチと、前記刈取部から受け渡される刈取穀稈の株元側を挟持しながら、穂先側が脱穀装置内部で扱き処理される状態で搬送する脱穀フィードチェーンと、前記脱穀フィードチェーンの搬送速度を変更操作自在な変速操作手段と、各部の動作を制御する制御手段とが備えられているコンバインに関する。
【０００２】
【従来の技術】
上記構成のコンバインにおいて、従来では、例えば、特開平５―２２号（以下、第１の従来技術）に示されるように、エンジンから前記脱穀フィードチェーンに対する伝動機構中に前記変速操作手段の一例として脱穀フィードチェーンの搬送速度を変更調節自在なベルト式無段変速装置が設けられるとともに、この無段変速装置の作動を自動制御する制御装置が設けられ、この制御装置が、穀稈供給量に対応する情報としての車速が大なるほど脱穀フィードチェーンの搬送速度が大になるように、無段変速装置の作動を制御するように構成したものがあった。
尚、上記公報には示されていないが、刈取穀稈を搬送する刈取部の穀稈搬送速度は、搬送処理を適切に行うために、車速が大なるほど大になるように車速に同調して変化すべく車体走行用変速装置の変速後の動力にて駆動される構成となっていた。
【０００３】
又、特開平７−４６９３０号公報（以下、第２の従来技術）に示されているように、脱穀フィードチェーンを駆動状態と停止状態とに切り換え操作自在なフィードチェーンクラッチが備えられ、刈取部を前記作業位置から前記非作業位置に上昇させ設定高さ以上にまで上昇すると、それに伴って、刈取クラッチ及びフィードチェーンクラッチを入り状態から切り状態にさせて刈取部と脱穀フィードチェーンの駆動を停止させ、刈取部を前記作業位置に下降させると、それに伴って刈取クラッチ及びフィードチェーンクラッチを同時に切り状態から入り状態にさせて、刈取作業を実行できるように構成することが提案されている。
この構成は、ある作業行程での作業が終了した後の非刈取作業時には、車体を旋回しながら走行させるときエンジンに対する駆動負荷が過大になりやすいので、刈取部等の駆動を停止させて駆動負荷を軽減するようにしたものである。
【０００４】
【発明が解決しようとする課題】
上記第１の従来技術によれば、刈取部による穀稈搬送速度が車速が大なるほど大になるように車速に同調して変化するとともに、車速の変化に応じて穀稈供給量も変化することから、刈取部から刈取穀稈が受け渡されることになる脱穀フィードチェーンの搬送速度も車速が大なるほど大になるように変速するようにして、刈取穀稈の受け渡しが円滑に行えるのであるが、この技術に上記第２の従来技術に記載される構成を適用した場合、刈取作業を開始するときに、刈取部を前記作業位置に下降させると、それに伴って刈取クラッチ及びフィードチェーンクラッチが同時に切り状態から入り状態に切り換わることになる。このとき、刈取部は車体走行用変速装置の変速後の動力にて駆動される構成であり、脱穀フィードチェーンは別途設けられるベルト無段変速装置にて変速された動力で駆動される構成であるから、次のような不都合が生じるおそれがある。
【０００５】
例えば、前記無段変速装置が高速状態に設定されたまま、脱穀フィードチェーンが切り操作されることがあるが、このような状態で、次回、刈取作業を開始すると、制御装置は、脱穀フィードチェーンの搬送速度を車速が大なるほど大になるように制御することになるが、無段変速装置の変速操作が車体走行用変速装置の変速操作よりも遅れて、刈取部からの搬送速度に対して脱穀フィードチェーンの搬送速度が速くなり、株元側が穂先側よりも先行して搬送されることにより扱き残しが発生するおそれがある。
【０００６】
本発明はかかる点に着目してなされたものであり、その目的は、非刈取作業時には駆動負荷を軽減させるために刈取穀稈の搬送を停止させる構成とした場合であっても、刈取部と脱穀フィードチェーンとの間での刈取穀稈の受け渡しを、常に適正な搬送姿勢で良好に行うことが可能となるコンバインを提供する点にある。
【０００７】
【課題を解決するための手段】
請求項１に記載の特徴構成によれば、走行機体に対して下方側の作業位置と上方側の非作業位置とにわたり昇降自在に設けられ、且つ、車速を変更するための走行用変速装置の変速後の動力により駆動されて刈取穀稈を脱穀装置に向けて搬送する刈取部と、前記刈取部への動力伝達を入り切りする刈取クラッチと、前記刈取部から受け渡される刈取穀稈の株元側を挟持しながら、穂先側が脱穀装置内部で扱き処理される状態で搬送する脱穀フィードチェーンと、前記脱穀フィードチェーンの搬送速度を変更操作自在な変速操作手段と、各部の動作を制御する制御手段とが備えられているコンバインにおいて、前記脱穀フィードチェーンを駆動状態と停止状態とに切り換え操作自在な駆動状態切換手段が設けられ、前記制御手段は、前記刈取部の前記非作業位置から前記作業位置への下降に伴って、前記刈取クラッチを切り状態から入り状態に切り換えるとともに、前記駆動状態切換手段を前記停止状態から前記駆動状態に切り換え、且つ、前記刈取部における刈取穀稈の搬送速度が大であるほど前記脱穀フィードチェーンの搬送速度が大になるように前記変速操作手段を制御する作業開始制御を実行し、前記刈取部の前記作業位置から前記非作業位置への上昇に伴って、前記刈取クラッチを入り状態から切り状態に切り換えるとともに、前記駆動状態切換手段を前記駆動状態から前記停止状態に切り換え、且つ、前記脱穀フィードチェーンの搬送速度が低速側の設定速度になるように前記変速操作手段を制御する作業停止制御を実行するように構成されている。
【０００８】
例えば、刈取作業を開始するとき等において、刈取部の非作業位置から作業位置への下降に伴って作業開始制御を実行する。つまり、刈取クラッチが入り状態になり刈取部への動力伝達が入りとなり、駆動状態切換手段が駆動状態になり脱穀フィードチェーンが駆動される状態になって、刈取部及び脱穀フィードチェーンの夫々が刈取穀稈を搬送する状態に切り換わる。そして、このように穀稈搬送状態に切り換わった状態で、刈取部における刈取穀稈の搬送速度が大であるほど脱穀フィードチェーンの搬送速度が大になるように変速操作手段が制御されるので、例えば車速が変化しても、刈取部による搬送速度と脱穀フィードチェーンによる搬送速度との相対速度は大きく変化することがなく、刈取作業中においては、刈取部と脱穀フィードチェーンとの間での刈取穀稈の受け渡しを適正な搬送姿勢で良好に行うことが可能となる。
【０００９】
又、例えば、ある作業行程での刈取作業が終了したとき等において、刈取部の作業位置から非作業位置への上昇に伴って、作業停止制御を実行する。つまり、刈取クラッチが切り状態になり刈取部への動力伝達が切りとなり、駆動状態切換手段が停止状態になり脱穀フィードチェーンが停止される状態になって、刈取部及び脱穀フィードチェーンの夫々が穀稈搬送を停止する状態に切り換わる。そして、脱穀フィードチェーンの搬送速度が低速側の設定速度になるように変速操作手段を制御するのである。
このように、非作業状態に切り換わったときに、脱穀フィードチェーンの搬送速度が低速側の設定速度になるので、その後、次回の刈取作業において前記作業開始制御を実行したとき、刈取部の搬送速度が大であるほど脱穀フィードチェーンの搬送速度が大になるように変速操作手段を制御する場合において、常に低速側の設定速度から変速制御が開始されることになる。
【００１０】
従って、刈取作業を開始した直後において、刈取部は車速に対応した低速状態で穀稈搬送を行うが脱穀フィードチェーンも同様に低速側の設定速度にて穀稈搬送を行うことになるので、変速操作手段の変速動作が車体走行用変速装置の変速動作よりも遅い場合であっても、刈取穀稈の受け渡しを適正な搬送姿勢で良好に行うことが可能となる。
【００１１】
その結果、非刈取作業時には駆動負荷を軽減させるために、刈取部や脱穀フィードチェーンの駆動を停止して、刈取穀稈の搬送を停止させる構成とした場合であっても、刈取部と脱穀フィードチェーンとの間での刈取穀稈の受け渡しを、刈取作業中の定常状態だけでなく、作業開始直後の過渡的な状態においても、常に、適正な搬送姿勢で良好に行うことが可能となるコンバインを提供できるに至った。
【００１２】
請求項２に記載の特徴構成によれば、前記変速操作手段は、前記脱穀フィードチェーンの搬送速度を設定範囲内で無段階に変更調節可能なベルト式無段変速装置を備えて構成され、前記制御手段は、前記作業開始制御において、前記駆動状態切換手段を前記停止状態から前記駆動状態に切り換えた後に、前記変速操作手段を制御するように構成され、前記作業停止制御において、前記脱穀フィードチェーンの搬送速度が低速側の設定速度になるように前記変速操作手段を制御した後に、前記駆動状態切換手段を前記駆動状態から前記停止状態に切り換えるように構成されている。
【００１３】
ベルト式無段変速装置を用いると、脱穀フィードチェーンの搬送速度を設定範囲内で無段階に変速できるので、刈取穀稈の搬送姿勢が安定する適正な搬送速度に変速することが可能となるが、このようなベルト式無段変速装置は、伝動ベルトが回転している状態で変速操作を行う方が回転していない状態で変速操作するよりも小さい操作力を操作できる。
そこで、作業開始制御においては、駆動状態切換手段を停止状態から駆動状態に切り換えて回転させている状態で変速操作手段を制御し、作業停止制御においては、脱穀フィードチェーンが回転している状態で、搬送速度が低速側の設定速度になるように変速操作手段を制御した後に、駆動状態切換手段を駆動状態から停止状態に切り換えて、脱穀フィードチェーンの回転を停止させるようにしているので、作業開始のときや作業停止のときのいずれの場合においても、小さい操作力で変速操作することができ、例えば、アクチュエータで操作する場合には、小型のアクチュエータで済ませることができ構成を簡素化できる利点がある。
【００１４】
請求項３に記載の特徴構成によれば、前記刈取部の前記非作業位置への上昇を指令する上昇指令又は前記作業位置へ下降を指令する下降指令の夫々を指令する昇降指令手段が備えられ、前記制御手段は、前記昇降指令手段による前記下降指令が指令されるに伴って、前記作業開始制御を実行し、前記昇降指令手段による前記上昇指令が指令されて前記刈取部が設定高さ以上に上昇するに伴って、作業停止制御を実行するように構成され、前記設定高さを変更する人為操作式の調節手段が備えられている。
【００１５】
昇降指令手段にて下降指令が指令されるときは、刈取作業を開始することが明らかであるから、その指令に伴って作業開始制御を実行するので、作業能率がよい。又、昇降指令手段にて上昇指令が指令されるときは、その指令に伴って、穀稈搬送を停止させると、刈取部内に残存している刈取穀稈がこぼれ落ちたり、姿勢が乱れたりすることがあるので、設定高さ以上に上昇するまで待ってから作業停止制御を実行するのである。そして、この設定高さを人為操作式の調節手段によって調節できるので、そのときの作業状況に応じて適切な高さにすることで、極力、搬送穀稈の姿勢乱れ等の少ない状態で刈取作業を行える。
【００１６】
【発明の実施の形態】
以下、本発明の実施の形態を、図面に基づいて説明する。
図１に本発明に係るコンバインの全体側面を示している。このコンバインは、クローラ式の走行装置１、運転座席２を有する運転部を備える走行機体の前部に、刈取部３を油圧シリンダ４によって昇降操作自在に備え、この刈取部３により稲、麦などの植立穀稈を刈り取り、刈取り穀稈を脱穀装置５の脱穀フィードチェーン６に受け入れて脱穀処理し、脱穀装置５からの脱穀粒を穀粒タンク７に搬送して貯溜するように構成されている。前記刈取部３は、植立穀稈を引き起こす引起し装置３ａ、引き起こされた穀稈の株元側を切断するバリカン型の刈刃３ｂ、刈取穀稈を徐々に横倒れ姿勢に変更しながら後方側に搬送する縦搬送装置３ｃ等にて構成され、走行機体の前部に横軸芯Ｐ周りに油圧シリンダ４によって揺動昇降自在に設けられている。
【００１７】
次にコンバインの伝動構造について説明する。
図２に示すように、エンジン８の出力軸８ａの動力をベルトテンションクラッチで成る脱穀クラッチ９を介して脱穀装置５の入力軸に兼用の唐箕駆動軸１０に伝達し、この唐箕駆動軸１０の回動力を、唐箕駆動軸１０の一端側から伝動ベルト１１などを介して扱胴１２の回転支軸１２ａに伝達する。唐箕駆動軸１０の回動力を、唐箕駆動軸１０の他端側から伝動ベルト１３を介して伝動ケース１４の内部に位置する変速装置Ｆ及び噛合いクラッチで成るフィードチェーンクラッチ１５を介し、脱穀フィードチェーン６の搬送終端側が巻回しているチェーン駆動スプロケット１６に伝達するように構成している。フィードチェーンクラッチ１５は、噛合連動する入り状態では脱穀フィードチェーン６を駆動状態にし、噛合いが解除される切り状態では脱穀フィードチェーン６を駆動停止状態にするように切り換え操作自在な駆動状態切換手段に対応するものである。
【００１８】
脱穀フィードチェーン６の搬送速度を変更する前記変速装置Ｆは、割りプーリ形式のベルト無段変速装置を備えて電動式の変速モータＭ１により変速操作可能に構成されている。つまり、図３に示すように、脱穀フィードチェーン６に対する出力軸１６ａに、その軸芯方向に沿ってプーリ間隔を変更調節自在な割りプーリ式の従動プーリ４０が設けられ、この従動プーリ４０と駆動プーリ４１とにわたり伝動ベルト４２が巻回されている。そして、この伝動ベルト４２はバネ４３により引っ張り付勢されるテンションプーリ４４によって常に張力が付与される状態で張設されており、ベルトの張力により互いに離間する方向に移動付勢力を受ける割りプーリ式の従動プーリ４０を、その付勢力に抗して接近離間方向に移動操作するためのカム機構４５が出力軸１６ａの外周部に設けられている。このカム機構４５の操作アーム４６が、電動式変速モータＭ１の動力にてギア噛合機構４７を介して回動操作される揺動アーム４８に操作ワイヤ４９にて連動連係され、変速モータＭ１を駆動制御することで、従動プーリ４０と駆動プーリ４１との間での変速比を無段階に変更調節することができるように構成されている。前記出力軸１６ａには、その回転数を検出する回転数センサＳ１が備えられている。
【００１９】
エンジン８の出力軸８ａの動力が伝動ベルト１７、伝動軸１８ａを介して走行用変速装置としての静油圧式無段変速装置ＨＳＴに伝達され、その変速後の動力が走行用ミッション１８から左右走行装置１に伝えられるとともに、変速後の動力が出力軸１８ｂ、ベルトテンションクラッチで成る刈取クラッチ１９を介して刈取部３の入力軸３ｄに伝達するように構成している。前記静油圧式無段変速装置ＨＳＴは、運転部に設けられた走行変速レバーの手動操作に基づいて変速操作される構成となっている。尚、図示はしないが、この入力軸３ｄの動力を伝動軸などを備える伝動機構によって引起し装置３ａ、刈取装置３ｂ、搬送装置３ｃそれぞれの入力部に伝達するようになっている。又、走行用ミッションには、走行装置に対する走行用出力軸の回転数に基づいて車速を検出する車速センサＳ２が備えられている。
【００２０】
脱穀クラッチ９は、エンジン８から扱胴１２その他の脱穀装置各部の装置への伝動を入り切りし、フィードチェーンクラッチ１５は、脱穀フィードチェーン６だけの伝動を入り切りするのであり、脱穀クラッチ９が入りになっていても、フィードチェーンクラッチ１５を切りに切り換えることにより、脱穀フィードチェーン６だけを停止することができる。また、刈取クラッチ１９は、エンジン８から刈取部３の各部への伝動を入り切りするのであり、この刈取クラッチ１９を入りと切りとに切り換えることにより、刈取部３の各装置が駆動と停止とに切り換わる。
【００２１】
前記刈取クラッチ１９、脱穀クラッチ９、フィードチェーンクラッチ１５の夫々は、電動式のクラッチモータＭ２の回動操作に伴って入り切り操作が行われるように連動操作される構成としている。
つまり、刈取クラッチ１９、脱穀クラッチ９、フィードチェーンクラッチ１５夫々の操作部２１，２２，２３を切り換え操作する電動式のクラッチモータＭ２を備える駆動機構２０が、運転部の運転パネルの下側に位置する状態で設けられている。図４、図５に示すように、前記各操作部２１，２２，２３と、運転パネルなどの運転部の部材に固定されている枠体２５が備える支軸２５ａに回動ボス部２６ａによって回動自在に操作カム部２６が設けられている。この操作カム部２６における前記回動ボス部２６ａの一端側に一体回動自在に連結しているギヤ部２６ｂにクラッチモータＭ２の出力ギヤ２７ａが噛合っており、クラッチモータＭ２の駆動により、操作カム部２６が支軸２５ａの軸芯周りで回動操作される構成となっている。
【００２２】
脱穀クラッチ９に対する操作部２２は、枠体２５にて支持される支軸２５ｂに基端側が取り付け筒部２２ａによって回動自在に支持され、先端側がリンク９Ｌと操作ケーブル９ａとを介して脱穀クラッチ９の揺動自在なテンションアームに連結しているリンク部材で成り、支軸２５ｂの軸芯まわりで揺動操作されると、操作ケーブル９ａを引っ張り操作したり緩め操作してテンションアームを伝動ベルトに緊張力を与える側とこれを解除する側とに揺動操作することによって、脱穀クラッチ９の入り切りを行うようになっている。
【００２３】
刈取クラッチ１９に対する操作部２１は、前記支軸２５ｂに基端側が取り付け筒部２１ａによって回動自在に支持し、先端側がリンク１９Ｌと操作ケーブル１９ａとを介して刈取クラッチ１９の揺動自在なテンションアームに連結しているリンク部材で成り、支軸２５ｂの軸芯まわりで揺動操作されると、操作ケーブル１９ａを引っ張り操作したり緩め操作してテンションアームを伝動ベルトに緊張力を与える側とこれを解除する側とに揺動操作することによって、刈取クラッチ１９の入り切りを行うようになっている。
【００２４】
フィードチェーンクラッチ１５に対する操作部２３は、前記枠体２５が備える支軸２５ｃに基端側が取り付け筒部２３ａによって回動自在に支持され、先端側が操作ケーブル１５ａによってフィードチェーンクラッチ１５のクラッチ切り換えフォークに連結しているリンク部材で成り、支軸２５ｃの軸芯まわりで揺動操作されると、操作ケーブル１５ａを引っ張り操作したり緩め操作してクラッチ切り換えフォークを入り側と切り側とに揺動操作することにより、フィードチェーンクラッチ１５の入り切りを行うようになっている。
【００２５】
操作カム部２６は、脱穀クラッチ用カム２６ｃと刈取クラッチ用カム２６ｄとフィードチェーン用カム２６ｅとを備えて構成され、それらが一体回動自在に回動ボス部２６ａに連結される状態で備えられている。脱穀クラッチ用カム２６ｃは、脱穀クラッチ９の操作部２２にリンク連結ピン２２ｂを介してローラを回動自在に取り付けて備えてあるカムフォロワ２２ｃに当接して操作部２２を入り位置に押圧作用するカム面Ｋ１を周面に備える半円に近い形状の板体で構成されている。又、刈取クラッチ用カム２６ｄは、刈取クラッチ１９の操作部２１にリンク連結ピン２１ｂを介してローラを回動自在に取り付けて備えてあるカムフォロワ２１ｃに当接して操作部２１を入り位置に押圧作用するカム面Ｋ２を遊端部に備える板体で構成されている。そして、フィードチェーン用カム２６ｅは、フィードチェーンクラッチ１５の操作部２３にケーブル連結ピン２３ｂを介してローラを回動自在に取り付けて備えてあるカムフォロワ２３ｃに当接して操作部２３を切り位置に押圧作用するカム面Ｋ３を遊端部に備える板体で構成されている。
【００２６】
そして、クラッチモータＭ２を正逆回転駆動すると、操作カム部２６を支軸２５ａの軸芯まわりで正逆回転させて、図６に示す非作業位置と、図７に示す枕扱き位置と、図８に示す作業位置と、図９に示す刈取り中断位置とに切り換え操作する構成となっている。
【００２７】
図６に示すように、操作カム部２６が非作業位置になると、この操作カム部２６の脱穀クラッチ用カム２６ｃが脱穀クラッチ９の操作部２２に対する押圧作用を解除することにより、この操作部２２を脱穀クラッチ９の切り側への自己復元力によって切り位置に操作し、刈取り操作カム部２６ｄが刈取クラッチ１９の操作部２１に対する押圧作用を解除することにより、この操作部２１を刈取クラッチ１９の切り側への自己復元力によって切り位置に操作し、更に、フィードチェーン用カム２６ｅがフィードチェーンクラッチ１５の操作部２３に対する押圧作用を解除することにより、この操作部２３をフィードチェーンクラッチ１５の入り側への自己復元力によって入り位置に操作する。
【００２８】
図７に示すように、操作カム部２６が枕扱き位置になると、脱穀クラッチ用カム２６ｃがカム面Ｋ１によって脱穀クラッチ９の操作部２２を入り位置に押圧操作すし、刈取クラッチ用カム２６ｄが刈取クラッチ１９の操作部２１に対する押圧作用を解除してこの操作部２１を刈取クラッチ１９の自己復元力によって切り位置に操作し、更に、フィードチェーン用カム２６ｅがフィードチェーンクラッチ１５の操作部２３に対する押圧作用を解除することにより、この操作部２３をフィードチェーンクラッチ１５の入り側への自己復元力によって入り位置に操作する。
【００２９】
図８に示すように、操作カム部２６が作業位置になると、脱穀クラッチ用カム２６ｃがカム面Ｋ１によって脱穀クラッチ９の操作部２２を入り位置に押圧操作し、刈取クラッチ用カム２６ｄがカム面Ｋ２によって刈取クラッチ１９の操作部２１を入り位置に押圧操作し、フィードチェーン用カム２６ｅがフィードチェーンクラッチ１５の操作部２３に対する押圧作用を解除してこの操作部２３をフィードチェーンクラッチ１５の自己復元力によって入り位置に操作する。
【００３０】
図９に示すように、操作カム部２６が刈取り中断位置になると、脱穀クラッチ用カム２６ｃがカム面Ｋ１によって脱穀クラッチ９の操作部２２を入り位置に押圧操作し、刈取クラッチ用カム２６ｄが刈取クラッチ１９の操作部２１に対する押圧作用を解除してこの操作部２１を刈り取り部クラッチ１９の自己復元力によって切り位置に操作し、フィードチェーン用カム２６ｅがカム面Ｋ３によってフィードチェーンクラッチ１５の操作部２３を切り位置に押圧操作する。
【００３１】
図１１に、操作カム部２６の操作位置に対応する前記各クラッチ９、１５、１９の切り換え状態を示している。
【００３２】
そして、図４に示すように、操作カム部２６の回動操作位置を検出するための回動位置センサＳ３が設けられている。この回動位置センサＳ３はポテンショメータ形式で構成され、前記枠体２５に付設の支持部材２８に本体が固定され、回転操作軸３４ａがこれに取付け軸部２９ａの一端側が連結している連動ギヤ２９を介して、前記操作カム部２６の回動ボス部２６ａの一端側に位置する出力ギヤ部２６ｆに噛合連動する構成となっており、クラッチモータＭ２によって回転操作される操作カム部２６の操作位置を検出する構成となっている。
尚、図に示す脱穀切り状態検出センサＳ４は、前記操作部２２の操作位置が脱穀クラッチ９の切り状態に操作されているとオンし、入り状態であればオフすることにより、脱穀クラッチ９の切り状態を検出するためのものである。
【００３３】
前記搭乗運転部５には、前記クラッチモータＭ２の操作状態を指令するクラッチ操作スイッチ３１、手動操作にて刈取部３を昇降操作させるための昇降レバー３５、この昇降レバー３５を中立位置から上昇位置に操作するとオンする上昇スイッチＳＷ１、昇降レバー３５を下降位置に操作するとオンする下降スイッチＳＷ２、昇降レバー３５における握り部の上部に位置して親指にて押し操作される自動昇降スイッチＳＷ３、刈取部３の昇降操作に伴ってクラッチモータＭ２を自動的に切り換える自動切換えモードを入り切りする自動入切スイッチＳＷ４、自動切換えモードにて自動で切り換わるための刈取部３の設定高さを変更設定自在な人為操作式の調節手段としての高さ設定器３３等が設けられている。又、刈取部３の昇降軸芯Ｐの近くの機体側個所には、刈取部３の揺動に伴って出力値が変化するポテンショメータ式の昇降位置センサＳ５が設けられ、この昇降位置センサＳ５が刈取部３の走行機体に対する昇降位置を検出する昇降位置検出手段として機能するようにしている。
【００３４】
そして、図１０に示すように、前記クラッチモータＭ２、変速モータＭ１、昇降用油圧シリンダ４に対する油圧制御弁３６、エンジンの始動牽制装置３７の動作を制御する制御手段としてのマイクロコンピュータ利用の制御装置３０が設けられ、上記各スイッチＳＷ１〜ＳＷ４の情報、前記各センサＳ１〜Ｓ５、及び、高さ設定器３３夫々の情報が制御装置３０に入力され、制御装置３０は、これらの入力情報に基づいて、クラッチモータＭ２、変速モータＭ１、油圧制御弁３６、及びエンジンの始動牽制装置３７の動作を制御するように構成されている。
【００３５】
先ず、制御装置３０による刈取部３の昇降操作について説明する。
昇降レバー３５を前方に揺動操作して下降スイッチＳＷ２がオンすると、それがオンしている間、制御装置３０は刈取部を下降させるように油圧制御弁３６を切換え制御し、昇降レバー３５を後方に揺動操作して上昇スイッチＳＷ１がオンすると、オンしている間、制御装置３０は刈取部を上昇させるように油圧制御弁３６を切換え制御する。さらに、自動昇降スイッチＳＷ３を押し操作することによって、刈取部２を地面に近い低い位置である作業位置としての刈取位置と、最大上昇位置に近い非作業位置としての非刈取上昇位置とにわたって交互に昇降させることができるようになっている。
【００３６】
そして、前記刈取部３が昇降位置センサＳ５の検出値により刈取位置にあることが検出されているときに自動昇降スイッチＳＷ３が押し操作（上昇指令が指令）されると、刈取部３を非刈取上昇位置にまで自動で上昇操作させ、且つ、刈取部３が昇降位置センサＳ５の検出値により高い位置にあることが検出されているときに自動昇降スイッチＳＷ３が押し操作（下降指令が指令）されると、刈取部３を刈取位置にまで下降操作させるように油圧制御弁３６を制御するようになっている。
従って、前記上昇スイッチＳＷ１、下降スイッチＳＷ２及び自動昇降スイッチＳＷ３が、刈取部２の非刈取上昇位置への上昇を指令する上昇指令又は刈取位置へ下降を指令する下降指令の夫々を指令する昇降指令手段に相当する。
【００３７】
次に、クラッチモータＭ２及び変速モータＭ１の制御について説明する。
制御装置３０は、クラッチ操作スイッチ３１、昇降位置センサＳ５、高さ設定器３３、回動位置センサＳ３、自動入切スイッチＳＷ４の情報により、刈取クラッチ１９、脱穀クラッチ９、フィードチェーンクラッチ１５を人為操作指令に基づいて切り換え操作したり、刈取部３の昇降操作に伴って自動的に切り換え操作させることができるように構成されている。
【００３８】
前記クラッチ操作スイッチ３１は、非作業位置Ａと作業位置Ｂと枕扱き位置Ｃの３つの操作位置に切り換え自在な操作具３１ａを備える切り換えスイッチで構成され、各位置に応じた信号を制御装置３０に出力する。前記高さ設定器３３は、操作具３３ａを回転操作自在に備えるポテンショメータで成り、後述するような操作カム部２６を自動的に切り換え操作させるための刈取部３の対地高さを変更自在に設定するものである。
【００３９】
自動入切スイッチＳＷ４が切り状態にあれば、前記制御装置３０は、クラッチ操作スイッチ３１、回動位置センサＳ３、回転数センサＳ１、車速センサＳ２の情報に基づいて、操作カム部２６がクラッチ操作スイッチ３１の操作具３１ａの操作位置になるように、クラッチモータＭ２を自動的に操作するとともに、フィードチェーンクラッチ１５が入りの状態では、車速が大であるほど脱穀フィードチェーン６の搬送速度が大になるように、変速モータＭ１の作動を制御する。
【００４０】
尚、枕扱きを行う場合には、自動入切スイッチＳＷ４を切りにして、クラッチ操作スイッチ３１の操作具３１ａを枕扱き位置Ｃに切り換え操作すると、刈取部３の昇降位置にかかわらず、クラッチモータＭ２が操作カム部２６を枕扱き位置に切り換え操作して脱穀クラッチ９とフィードチェーンクラッチ１５とを入り側に操作し、刈取クラッチ１９を切り側に操作し、刈取部３を停止して扱胴１２と脱穀フィードチェーン６とを駆動できる。
又、路上など非作業状態で走行する場合、自動入切スイッチＳＷ４を切りにして、クラッチ操作スイッチ３１の操作具３１ａを非作業位置Ａに切り換え操作すると、刈取部３の昇降位置にかかわらず、このスイッチ３１からの情報に基づく制御装置３０による自動操作のためにクラッチモータＭ２が操作カム部２６を非作業位置に切り換え操作して脱穀クラッチ９と刈取クラッチ１９とを切り側に操作し、刈取部３、扱胴１２、脱穀フィードチェーン６が停止する。
【００４１】
自動入切スイッチＳＷ４が入り状態にあれば、刈取部３の昇降に連動して、操作カム部２６を「作業位置」と「刈取り中断位置」とにわたり自動で切り換えるとともに、変速モータＭ１の制御状態を切り換える自動切換モードの入り状態になる。つまり、自動切換モードでは、制御装置３０は、刈取部の非刈取上昇位置から刈取位置への下降に伴って、刈取クラッチ１９を切り状態から入り状態に切り換えるとともに、フィードチェーンクラッチ１５を切り状態から入り状態に切り換え、且つ、刈取部３における刈取穀稈の搬送速度が大であるほど脱穀フィードチェーン６の搬送速度が大になるように変速モータＭ１を制御する作業開始制御を実行し、刈取部３の刈取位置から非刈取上昇位置への上昇に伴って、刈取クラッチ１９を入り状態から切り状態に切り換えるとともに、フィードチェーンクラッチ１５を入り状態から切り状態に切り換え、且つ、脱穀フィードチェーン６の搬送速度が低速側の設定速度になるように変速モータＭ１を制御する作業停止制御を実行するように構成されている。
【００４２】
又、前記制御装置３０は、前記作業開始制御においては、フィードチェーンクラッチ１５を切り状態から入り状態に切り換えた後に変速モータＭ１を制御するように構成され、前記作業停止制御においては、脱穀フィードチェーン６の搬送速度が最低速度に近い低速側の設定速度になるように変速モータＭ１を制御した後に、フィードチェーンクラッチ１５を入り状態から切り状態に切り換えるように構成されている。
【００４３】
更に、前記制御装置３０は、下降スイッチＳＷ２にて下降が指令された場合には刈取部３が設定量下降したときに、又は、自動昇降スイッチＳＷ３による下降指令が指令された場合には直ちに前記作業開始制御を実行し、上昇スイッチＳＷ１又は自動昇降スイッチＳＷ３による上昇指令が指令されて刈取部３が高さ設定器３３にて設定された設定高さ以上に上昇するに伴って作業停止制御を実行するように構成されている。
【００４４】
具体的に説明すると、刈取り走行を行う場合、操縦者は、先ず、クラッチ操作スイッチ３１の操作具３１ａを作業位置Ｂに操作する。そうすると、図８に示すように、クラッチモータＭ２が操作カム部２６を作業位置に切り換え操作して脱穀クラッチ９、フィードチェーンクラッチ１５、刈取クラッチ１９を入り側に操作し、刈取部３、扱胴１２、脱穀フィードチェーン６が駆動される状態となる。
【００４５】
そして、自動入切スイッチＳＷ４がオンしている自動切換モードにおいては、図１３に示すように、ある作業行程での刈り取りを開始するために刈取部３の刈取位置への下降操作があれば（ステップ１）、具体的には、下降スイッチＳＷ２にて下降が指令された場合には刈取部３が設定量下降したときに、又は、自動昇降スイッチＳＷ３による下降指令が指令された場合には直ちに、クラッチモータＭ２を制御して操作カム部２６が「作業位置」になる状態に自動的に切り換え操作することにより、扱胴１２、刈取部３、脱穀フィードチェーン６が駆動される状態となる（ステップ２）。その後は、車速が大であるほど脱穀フィードチェーン６の搬送速度が大になる状態で、具体的には図１２に示すような階段状に変化する変化特性に基づいて、変速モータＭ１を制御する変速制御を実行する（ステップ３）。
【００４６】
そして、作業行程での刈取作業が終了して、刈取部３の非刈取上昇位置への上昇操作があれば（ステップ４）、具体的には、上昇スイッチＳＷ１がオン操作されるか、又は、自動昇降スイッチＳＷ３による上昇指令が指令されて、刈取部３が高さ設定器３３による設定高さまで上昇すると、脱穀フィードチェーン６の搬送速度が最低速度に近い低速側の設定速度になるように変速モータＭ１を制御する低速操作を実行した後に（ステップ５）、クラッチモータＭ２を制御して操作カム部２６が「刈取り中断位置」になる状態に切り換え操作する（ステップ６）。そうすると、扱胴１２を駆動させながら刈取部３と脱穀フィードチェーン６とを停止させる状態になる。
【００４７】
更に、次行程での刈り取りを再開するに当たり、刈取部３の刈取位置への下降操作があれば、上記ステップ２〜３の処理を実行することになる。そのステップ３において、車速が大であるほど脱穀フィードチェーン６の搬送速度が大になる状態にて変速モータＭ１を制御することになるが、そのとき、変速モータＭ１は常に、最低速度に近い低速側の設定速度になるように操作されている初期状態から制御が開始されることになる。
上記ステップ１〜３が作業開始制御に対応し、ステップ４〜６が作業停止制御に対応する。
【００４８】
尚、制御装置３０は、前記走行変速レバーが中立位置にあること、前記クラッチ操作スイッチ３１が非作業位置にあること、及び、前記脱穀切り状態検出センサＳ４がオンしていることの全ての条件を満たしているときにだけ始動牽制装置３７の牽制を解除してエンジンの始動を許容するようになっている。
【００４９】
〔別実施形態〕
以下、別実施形態を列記する。
【００５０】
（１）上記実施形態では、脱穀フィードチェーン６の搬送速度を車速に応じて制御するとき、図１２に示すような多段階の階段状に変化する変化特性に基づいて、変速モータＭ１を制御する構成としたが、このような制御に限らず、高低２段階に変化する構成や、車速と搬送速度とが直線的に変化する特性に基づいて制御する構成等、各種の制御形態で実施してもよい。
【００５１】
（２）上記実施形態では、前記変速操作手段が変速モータにて変速操作されるベルト式無段変速装置にて構成され、作業開始制御においてはフィードチェーンクラッチを切り状態から入り状態に切り換えた後に変速制御し、作業停止制御においては変速制御した後にフィードチェーンクラッチを入り状態から切り状態に切り換えるように構成したが、このような構成に限らず、前記変速操作手段として、複数段に段階的に変速するギア噛合式の変速装置を用いてもよく、変速操作用のアクチュエータとしては電動モータに限らず、油圧アクチュエータ等、他のアクチュエータを用いてもよい。又、フィードチェーンクラッチの入り切り操作と、変速操作とを同時に行うようにしたり、上記実施形態とは逆の順序で行うようにする等、各種の形態で実施してもよい。
【００５２】
（３）上記実施形態では、前記自動昇降スイッチにて刈取部の下降が指令されると直ちに前記作業開始制御を実行するようにしたが、刈取部が設定高さを下回ったときに前記作業開始制御を実行するようにしてもよい。
【００５３】
（４）上記実施形態では、前記高さ設定器を備えて前記設定高さを変更調節できる構成としたが、前記設定高さを予め定めた一定の高さに固定する構成としてもよい。
【００５４】
（５）上記実施形態では、駆動状態切換手段としてのフィードチェーンクラッチと、刈取クラッチとを、カム式の駆動機構を介して、一つのクラッチモータにより一体的に連動操作させる構成としたが、このような構成に限らず、前記各クラッチの夫々に対応して各別にアクチュエータを備えて、各別に入り切り制御する構成としてもよい。このとき、アクチュエータとしては、電動モータに限らず、油圧アクチュエータ等を他のアクチュエータを用いてもよい。
【００５５】
（６）上記実施形態では、走行用変速装置として、静油圧式無段変速装置（ＨＳＴ）を用いる構成としたが、ベルト式無段変速装置やギア噛合い式の変速装置等、各種の変速装置を用いることができる。
【図面の簡単な説明】
【図１】コンバインの全体側面図
【図２】伝動系統図
【図３】ベルト無段変速装置を示す図
【図４】駆動機構の断面図
【図５】駆動機構と各クラッチとの操作連係構成を示す図
【図６】非作業位置での連係状態を示す図
【図７】枕扱き位置での連係状態を示す図
【図８】作業位置での連係状態を示す図
【図９】刈取り中断位置での連係状態を示す図
【図１０】制御ブロック図
【図１１】クラッチ切換え状態を示す図
【図１２】変速特性を示す図
【図１３】制御動作のフローチャート
【符号の説明】
３          刈取部
５          脱穀装置
６          脱穀フィードチェーン
１５        駆動状態切換手段
１９        刈取クラッチ
３０        制御手段
３３        調節手段
Ｆ          変速操作手段
【図１】
0003570955.tif 000002
【図２】
0003570955.tif 000003
【図３】
0003570955.tif 000004
【図４】
0003570955.tif 000005
【図５】
0003570955.tif 000006
【図６】
0003570955.tif 000007
【図７】
0003570955.tif 000008
【図８】
0003570955.tif 000009
【図９】
0003570955.tif 000010
【図１０】
0003570955.tif 000011
【図１１】
0003570955.tif 000012
【図１２】
0003570955.tif 000013
【図１３】
0003570955.tif 000014